(57)【要約】  【課題】ゴムパッキンを別部品として用意する必要がなく組立て性が良好であると共に、漏水の虞がない水道メータケースを得る。  【解決手段】本発明は、ケース本体１３と、該ケース本体１３から突設され、流入管に接続される流入管接続部７と、該ケース本体１３から突設され、流出管に接続される流出管接続部８とを備えた水道メータケース９に於て、前記流入管接続部７の流入口端部と、前記流出管接続部８の流出口端部に夫々パッキン１０，１１を一体に設けた水道メータケースを提供する。【選択図】図１
2005172725.tif 000002
【特許請求の範囲】
【請求項１】
ケース本体と、該ケース本体から突設され、流入管に接続される流入管接続部と、該ケース本体から突設され、流出管に接続される流出管接続部とを備えた水道メータケースに於て、前記流入管接続部の流入口端部と、前記流出管接続部の流出口端部に夫々パッキンを一体に設けたことを特徴とする水道メータケース。
【請求項２】
上記パッキンは上記水道メータケースの他の部品と異なる材料から成り、該パッキンを備えた水道メータケースは二材成形によって一体成形されることを特徴とする請求項１記載の水道メータケース。
【請求項３】
上記パッキンはゴム製パッキンであることを特徴とする請求項１又は２記載の水道メータケース。
【請求項４】
上記パッキンは軟質樹脂製パッキンであることを特徴とする請求項１又は２記載の水道メータケース。
【発明の詳細な説明】
【技術分野】
【０００１】
本発明は、水道メータケースに関するものであり、特に、ゴムパッキンを別部品として用意する必要がなく組立て性が良好であると共に、漏水の虞がない水道メータケースに関するものである。
【背景技術】
【０００２】
従来の水道メータケースを図３及び図４に従って説明する。図３に於て、１は水道メータであり、該水道メータ１は水道メータケース２と、該水道メータケース２の上部に螺着されて設けられる上部ケース３と、該上部ケース３に開閉自在に取り付けられる蓋体４と、該水道メータケース２及び該上部ケース３内に収納され、水道流量を測定し、該水道流量を積算表示する水道流量測定・積算表示器（図示せず）とから成る。
【０００３】
そして、前記水道メータケース２は合金等によって一体成形されたものであり、図４に示す如く、上方開口の容器形状のケース本体６と、該ケース本体６の側面から突設され、流入管（図示せず）に接続される流入管接続部７と、該ケース本体６の他側面から突設され、流出管（図示せず）に接続される流出管接続部８とから構成されている。
【０００４】
而して、前記流入管接続部７には該流入管接続部７の先端部外周に雄ねじ７ａが螺刻されており、一方、前記流入管の端部には雌ねじが螺刻されたナットが設けられており、該流入管を前記流入管接続部７に接続する時は、該流入管のナット内に漏水を防ぐためのゴムパッキンを組み込んで、該ナットの雌ねじを前記流入管接続部７の雄ねじに螺着させて、該流入管と該流入管接続部７とを接続する。
【０００５】
同様に、前記流出管接続部８には該流出管接続部８の先端部外周に雄ねじ８ａが螺刻されており、一方、前記流出管の端部には雌ねじが螺刻されたナットが設けられており、該流出管を前記流出管接続部８に接続する時は、該流出管のナット内に漏水を防ぐためのゴムパッキンを組み込んで、該ナットの雌ねじを前記流入管接続部７の雄ねじ８ａに螺着させて、該流出管と該流出管接続部８とを接続する。尚、同様な構成の水道メータが特許文献１に記載されている。
【特許文献１】特開２００１−１６５７２２号公報
【発明の開示】
【発明が解決しようとする課題】
【０００６】
前記水道メータケースは前述したようにケース本体と、該ケース本体の側部から突設され、流入管に接続される流入管接続部と、該ケース本体から突設され、流出管に接続される流出管接続部とから構成され、前記流入管を該流入管接続部に接続する時は、該流入管のナット内にゴムパッキンを組み込んで、該ナットを前記流入管接続部に螺着するように構成されている。
【０００７】
同様に、流出管を前記流出管接続部に接続する時は、該流出管のナット内にゴムパッキンを組み込んで、該ナットを前記流出管接続部の雄ねじに螺着するように構成されている。
【０００８】
然しながら、前記ゴムパッキンは組立て時に別部品として用意しなければならないため煩雑であり、又、該ゴムパッキンが捩れて漏水を起こしたり、該ゴムパッキンが位置ずれを起こして水道メータの性能に影響を及ぼす等の問題があった。
【０００９】
そこで、ゴムパッキンを別部品として用意する必要がなく組立て性が良好であると共に、漏水の虞がない水道メータケースを得るために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、  ケース本体と、該ケース本体から突設され、流入管に接続される流入管接続部と、該ケース本体から突設され、流出管に接続される流出管接続部とを備えた水道メータケースに於て、前記流入管接続部の流入口端部と、前記流出管接続部の流出口端部に夫々パッキンを一体に設けた水道メータケースを提供するものである。
【００１１】
この請求項１記載の発明によれば、流入管接続部の流入口端部と、流出管接続部の流出口端部に夫々パッキンを一体に設けたので、パッキンを別部品として用意する必要がなく組立て性を向上させることができると共に、パッキンの捩れによる漏水の虞がなく、且つ、パッキンの位置ずれによる水道メータ性能への悪影響もない。
【００１２】
又、請求項２記載の発明は、上記パッキンは上記水道メータケースの他の部品と異なる材料から成り、該パッキンを備えた水道メータケースは二材成形によって一体成形される請求項１記載の水道メータケースを提供するものである。
【００１３】
この請求項２記載の発明によれば、該パッキンを備えた水道メータケースが二材成形によって一体成形されるので、成形も容易である。
【００１４】
更に、請求項３記載の発明は、上記パッキンはゴム製パッキンである請求項１又は２記載の水道メータケースを提供するものである。
【００１５】
この請求項３記載の発明によれば、上記パッキンはゴム製パッキンであるので、パッキンとしての良好な性能を発揮できる。
【００１６】
更に又、請求項４記載の発明は、上記パッキンは軟質樹脂製パッキンである請求項１又は２記載の水道メータケースを提供するものである。
【００１７】
この請求項４記載の発明によれば、上記パッキンは軟質樹脂製パッキンであるので、パッキンとしての良好な性能を発揮できる。
【発明の効果】
【００１８】
本発明の請求項１記載の発明は、水道メータケースに於て、流入管接続部の流入口端部と、流出管接続部の流出口端部に夫々パッキンを一体に設けたので、パッキンを別部品として用意する必要がなく組立て性を向上させることができると共に、パッキンの捩れによる漏水の虞がなく、且つ、パッキンの位置ずれによる水道メータ性能への悪影響もない。
【００１９】
又、請求項２記載の発明は、上記パッキンは上記水道メータケースの他の部品と異なる材料から成り、該パッキンを備えた水道メータケースは二材成形によって一体成形されるので、請求項１記載の発明の効果に加え、成形も容易である。
【００２０】
更に、請求項３記載の発明は、上記パッキンはゴム製パッキンであるので、請求項１又は２記載の発明の効果に加え、パッキンとしての良好な性能を発揮できる。
【００２１】
更に又、請求項４記載の発明は、上記パッキンは軟質樹脂製パッキンであるので、請求項３記載の発明と略同様の効果が期待できる等、著大なる効果を奏する発明である。
【発明を実施するための最良の形態】
【００２２】
ゴムパッキンを別部品として用意する必要がなく組立て性が良好であると共に、漏水の虞がない水道メータケースを得るという目的を水道メータケースの流入管接続部の流入口端部と、流出管接続部の流出口端部に夫々パッキンを一体に設けたことによって実現した。
【実施例１】
【００２３】
以下、本発明の一実施の形態を図１及び図２に従って詳述する。尚、説明の都合上、従来例と同一構成部分については同一符号を付してその説明を省略する。図１に於て、９は水道メータケースであり、該水道メータケース９は従来例の水道メータケース(図４に於て２)を改良したものであり、流入管接続部７の流入口端部と、前記流出管接続部８の流出口端部に夫々環状のパッキン１０，１１を一体に設けたものである。
【００２４】
そして、該パッキン１０，１１はゴム製パッキン或いは軟質樹脂性パッキン等から成り、且つ、前記水道メータケース９の他の部品は硬質合成樹脂から成り、該パッキン１０，１１を備えた水道メータケース９は二材成形によって一体成形される。
【００２５】
更に、該パッキン１０の外径は前記流入管接続部７の外周に螺刻された雄ねじ７ａよりも小径或いは同径に形成され、且つ、該パッキン１０の内径は該流入管接続部７の流入口７ｂの外径と同径或いは大径に形成され、該パッキン１０の一側面が前記流入管接続部７の流入口端面と接触するように成形される。
【００２６】
同様に、前記パッキン１１の外径は前記流出管接続部８の外周に螺刻された雄ねじ８ａよりも小径或いは同径に形成され、且つ、該パッキン１１の内径は該流出管接続部８の流出口８ｂの外径と同径或いは大径に形成され、該パッキン１１の一側面が前記流出管接続部８の流出口端面と接触するように成形される。
【００２７】
図２に於て、１２は水道メータであり、該水道メータ１２は前記パッキン１０，１１を一体成形した前記水道メータケース９内に、水道流量を測定し、該水道流量を積算表示する水道流量測定・積算表示器（図示せず）を収納した後、該水道メータケース９の上部に上部ケース３を螺着して取り付け、該上部ケース３上に蓋体４を開閉自在に取り付けて組み立てたものである。
【００２８】
そして、前記水道メータケース９の流入管接続部７の雄ねじ７ａに流入管のナットを螺入して流入管を接続すると、前記パッキン１０は該流入管接続部７の流入口端部と該ナットに圧接され、該流入口端部と該ナット間が流水路を除いて密封される。
【００２９】
一方、前記流出管接続部８の雄ねじ８ａに流出管のナットを螺入して流出管を接続すると、前記パッキン１１は該流出管接続部８の流出口端部と該ナットに圧接され、該流出口端部と該ナット間が流水路を除いて密封される。尚、前記流入管のナット及び前記流出管のナットには、従来例の如く別部品としてのパッキンを予め組み込んでおく必要はないことは当然である。
【００３０】
而して、前記水道メータ１２の近傍の前記流入管に取り付けられた開閉弁を開いて水道水を該流入管内に流入させると、水道水は前記流入管接続部７内を通過して水道メータケース９のケース本体１３内に流入し、前記水道流量測定・積算表示器によって流量を測定された後、該ケース本体１３から前記流出管接続部８を通過して前記流出管に流出する。尚、前記蓋体４を開くと、前記上部ケース３の上方から、前記水道流量測定・積算表示器によって測定され、表示された水量流量積算値を確認することができる。
【００３１】
斯くして、前記水道メータケース９は、流入管接続部７の流入口端部と、流出管接続部８の流出口端部に夫々パッキン１０，１１を一体に設けたので、パッキンを別部品として用意する必要がなく組立て性を向上させることができると共に、パッキンの捩れによる漏水の虞がなく、且つ、パッキンの位置ずれによる水道メータ性能への悪影響もない。
【００３２】
又、前記パッキンは上記水道メータケースの他の部品と異なる材料から成り、該パッキンを備えた水道メータケースは二材成形によって一体成形されるので、成形も容易である。
【００３３】
更に、前記パッキンはゴム製パッキン、或いは、軟質樹脂製パッキンであるので、パッキンとしての良好な性能を発揮できる。
【００３４】
尚、本発明は、本発明の精神を逸脱しない限り種々の改変を為すことができ、そして、本発明が該改変されたものに及ぶことは当然である。
【図面の簡単な説明】
【００３５】
【図１】本発明の一実施の形態を示し、水道メータケースの正面縦断面図。
【図２】（ａ）本発明の一実施の形態を示し、水道メータの一部切欠正面図。（ｂ）本発明の一実施の形態を示し、水道メータの側面図。
【図３】（ａ）従来例を示し、水道メータの一部切欠正面図。（ｂ）従来例を示し、水道メータの側面図。
【図４】従来例を示し、水道メータケースの正面縦断面図。
【符号の説明】
【００３６】
７          流入管接続部
８          流出管接続部
９          水道メータケース
１０，１１    パッキン
１３          ケース本体
【図１】
2005172725.tif 000003
【図２】
2005172725.tif 000004
【図３】
2005172725.tif 000005
【図４】
2005172725.tif 000006